(57)【要約】      （修正有）【課題】空気を浄化でき、予備ゴミ袋を収納できるエコ型家庭用ごみ箱を提供する。【解決手段】箱体１を含むエコ型家庭用ごみ箱であって、箱体の底部表面に底部ボックス２が取付けられており、底部ボックス内の中部にマイナスイオン発生器が取付けられており、マイナスイオン発生器の一側に蓄電池が取付けられており、底部ボックス内の両側にそれぞれ風機が取付けられており、底部ボックスの外壁表面の両側にそれぞれ防塵ネットカバー６が設けられており、底部ボックスの外壁表面の中部にタッチ型遅延スイッチ７が取付けられており、箱体の一側壁の表面頂部にバッフル９が取付けられており、バッフルの底部の一側に横杆１０が設けられており、横杆の一端の側壁に嵌挿杆が取付けられている。マイナスイオン発生器によって、大量のマイナスイオンが発生するとともに、微量のオゾンも発生する。これにより除塵殺菌および空気浄化の効果が得られる。【選択図】図１
0003232786.tif 000002
【実用新案登録請求の範囲】
【請求項１】
箱体（１）を含むエコ型家庭用ごみ箱であって、前記箱体（１）の底部表面に底部ボッ
クス（２）が取付けられており、前記底部ボックス（２）内の中部にマイナスイオン発生
器（３）が取付けられており、前記マイナスイオン発生器（３）の一側に蓄電池（４）が
取付けられており、前記底部ボックス（２）内の両側にそれぞれ風機（５）が取付けられ
ており、前記底部ボックス（２）の外壁表面の両側にそれぞれ防塵ネットカバー（６）が
設けられており、前記底部ボックス（２）の外壁表面の中部にタッチ型遅延スイッチ（７
）が取付けられており、前記箱体（１）の一側壁の表面頂部にバッフル（９）が取付けら
れており、前記バッフル（９）の底部の一側に横杆（１０）が設けられており、前記横杆
（１０）の一端の側壁に嵌挿杆（１１）が取付けられていることを特徴とするエコ型家庭
用ごみ箱。
【請求項２】
前記防塵ネットカバー（６）はバックルによって底部ボックス（２）に着脱可能に接続さ
れていることを特徴とする請求項１に記載のエコ型家庭用ごみ箱。
【請求項３】
前記風機（５）および防塵ネットカバー（６）はそれぞれ２個設けられており、かつ風機
（５）と防塵ネットカバー（６）とが一対一対応していることを特徴とする請求項１に記
載のエコ型家庭用ごみ箱。
【請求項４】
前記タッチ型遅延スイッチ（７）一側に充電ポート（８）が取付けられていることを特徴
とする請求項１に記載のエコ型家庭用ごみ箱。
【請求項５】
前記充電ポート（８）は導線を介して蓄電池（４）に電気接続されていることを特徴とす
る請求項１に記載のエコ型家庭用ごみ箱。
【請求項６】
前記タッチ型遅延スイッチ（７）は導線を介してそれぞれマイナスイオン発生器（３）、
蓄電池（４）および風機（５）に電気接続されていることを特徴とする請求項１に記載の
エコ型家庭用ごみ箱。
【請求項７】
前記箱体（１）の表面に観察窓（１２）が嵌合接続されていることを特徴とする請求項１
に記載のエコ型家庭用ごみ箱。
【請求項８】
前記底部ボックス（２）の底部表面に滑り止めマット（１３）が粘着接続されていること
を特徴とする請求項１に記載のエコ型家庭用ごみ箱。
【請求項９】
前記箱体（１）の頂部表面に蓋板（１４）がヒンジ接続されていることを特徴とする請求
項１に記載のエコ型家庭用ごみ箱。
【請求項１０】
前記蓋板（１４）の頂部表面の一側にレバー（１５）が取付けられていることを特徴とす
る請求項９に記載のエコ型家庭用ごみ箱。
【考案の詳細な説明】
【技術の分野】
【０００１】
本実用新案はごみ箱装置の技術分野にに関するもので、具体的には、エコ型家庭用ごみ
箱に関する。
【従来の技術】
【０００２】
工業の発展とともに、環境の汚染問題は深刻している。工業化の国家をはじめ環境保護を
重視してきて、法律法規と世論の宣伝によって全社会で環境保護を重視させて、汚染問題
を解決させようとしている。２１世紀になって、環境保護の意識がかなり高騰していて、
数多くの環境に優しい製品が発明されている。そのうち、エコ型家庭用ごみ箱はその一つ
である。
【０００３】
ところが、従来のエコ型家庭用ごみ箱は以下の欠点を有する。
従来のエコ型家庭用ごみ箱は、使用中で室内の空気を浄化できず、室内空気の品質がよく
ない、またゴミ袋を収納する機能がないので、使用者自分で一袋ずつ取る必要がある。
【考案の概要】
【０００４】
本実用新案の目的は、背景の技術に記載のように、従来のエコ型家庭用ごみ箱では、使用
中で室内の空気を浄化できず、室内空気の品質がよくない、またゴミ袋を収納する機能が
ないので、使用者自分で一袋ずつ取る必要がある、という欠点を克服できるエコ型家庭用
ごみ箱を提供することにある。
【０００５】
上記の目的を実現するために、本実用新案は、下記のエコ型家庭用ごみ箱を提供する。該
エコ型家庭用ごみ箱は、箱体を含み、前記箱体の底部表面に底部ボックスが取付けられて
おり、前記底部ボックス内の中部にマイナスイオン発生器が取付けられており、前記マイ
ナスイオン発生器の一側に蓄電池が取付けられており、前記底部ボックス内の両側にそれ
ぞれ風機が取付けられており、前記底部ボックスの外壁表面の両側にそれぞれ防塵ネット
カバーが設けられており、前記底部ボックスの外壁表面の中部にタッチ型遅延スイッチが
取付けられており、前記箱体の一側壁の表面頂部にバッフルが取付けられており、前記バ
ッフルの底部の一側に横杆が設けられており、前記横杆の一端の側壁に嵌挿杆が取付けら
れている。マイナスイオン発生器および風機によって、空気を浄化する効果を得られる。
かつ横杆と嵌挿杆の組み合わせによって、予備ごみ袋を収納でき、使用者の使用に便利で
ある。
【０００６】
好ましくは、前記防塵ネットカバーはバックルによって底部ボックスに着脱可能に接続さ
れている。これにより、以降の防塵ネットカバーの清潔およびメンテナンスが容易であり
、防塵ネットカバーの使用便利性が向上する。
【０００７】
前記風機および防塵ネットカバーはそれぞれ２個設けられており、かつ風機と防塵ネット
カバーは一対一対応している。これにより、風機によってマイナスイオンを含む風を底部
ボックスから吹き出すことができ、空気を浄化する効果が得られる。
【０００８】
前記タッチ型遅延スイッチの一側に充電ポートが取付けられている。充電ポートによって
蓄電池を充電することができる。
【０００９】
前記充電ポートは導線によって蓄電池に電気接続されている。蓄電池によって電気部品に
電気エネルギーを提供し、部品の航続能力を保証する。
【００１０】
前記タッチ型遅延スイッチは導線によってそれぞれマイナスイオン発生器、蓄電池および
風機に電気接続されている。タッチ型遅延スイッチによってマイナスイオン発生器および
風機をオンオフすることができる。
【００１１】
前記箱体の表面に観察窓が嵌合接続されている。観察窓を介して箱体内のごみ量を識別で
きる。
【００１２】
前記底部ボックスの底部表面に滑り止めマットが粘着接続されている。滑り止めマットに
よってごみ箱の安定性を向上する。
【００１３】
前記箱体の頂部表面に蓋板がヒンジ接続されている。蓋板によって箱体を封止することが
できるので、箱体１内の異臭が漂うことを防止する。
【００１４】
前記蓋板の頂部表面の一側にレバーが取付けられている。レバーによって蓋板を開閉する
。
【００１５】
従来の技術と比べて、本実用新案の有益な効果は以下の通りである。
（１）本実用新案では、底部ボックスは、箱体に支持を提供する。これにより箱体が容易
にごみを収納できる。そして底部ボックスは、内部部品の取り付け基礎としている。マイ
ナスイオン発生器によって、大量のマイナスイオンが発生するとともに、微量のオゾンも
発生する。両者の組み合わせによって容易に各種類のウイルスと細菌を吸収することがで
き、これにより構造変化やエネルギー移転などに至るので、亡くさせることができる。こ
れにより除塵殺菌および空気浄化の効果が得られる。風機および防塵ネットカバーは２個
設けられ、かつ風機と防塵ネットカバーが一対一対応しているので、風機によってマイナ
スイオンを含む風を底部ボックスから吹出すことができ、空気浄化の効果が得られる。
【００１６】
（２）本実用新案では、充電ポートによって蓄電池を充電する。さらに蓄電池によって電
気部品に電気エネルギーを提供する。電気部品の航続能力を保証する。タッチ型遅延スイ
ッチをタッチすることにより、マイナスイオン発生器と風機をオンする。また、一定期間
後にタッチ型遅延スイッチによって自動的にマイナスイオン発生器と風機をオフする。横
杆によって嵌挿杆に支持を提供する。これにより嵌挿杆にごみ袋を収納でき、使用者の使
用に便利である。バッフルによって一定の保護機能を発揮でき、ごみ袋の清潔性を確保す
る。
【００１７】
（３）本実用新案では、観察窓を介して箱体内のごみ量を識別できる。滑り止めマットに
よってごみ箱の安定性を向上する。レバーによって蓋板を開閉する。また、蓋板によって
箱体を封止し、箱体内の異臭が漂うことを防止する。
【図面の簡単な説明】
【００１８】
【図１】本実用新案の全体構成模式図。
【図２】本実用新案の側面構成模式図。
【図３】本実用新案の底部ボックスの断面構成模式図。
【図４】本実用新案の横杆および嵌挿杆の構成模式図。
【考案を実施するための形態】
【００１９】
図１〜４に示されるように、本実用新案はエコ型家庭用ごみ箱を提供する。該エコ型家庭
用ごみ箱は、箱体１を含み、前記箱体１の底部表面に底部ボックス２が取付けられており
、前記底部ボックス２内の中部にマイナスイオン発生器３が取付けられており、前記マイ
ナスイオン発生器３の一側に蓄電池４が取付けられており、前記底部ボックス２内の両側
にそれぞれ風機５が取付けられており、前記底部ボックス２の外壁表面の両側にそれぞれ
防塵ネットカバー６が設けられており、前記底部ボックス２の外壁表面の中部にタッチ型
遅延スイッチ７が取付けられており、前記箱体１の一側壁の表面頂部にバッフル９が取付
けられており、前記バッフル９の底部の一側に横杆１０が設けられており、前記横杆１０
の一端の側壁に嵌挿杆１１が取付けられている。マイナスイオン発生器３および風機５に
よって、空気を浄化する効果を得られる。かつ横杆１０と嵌挿杆１１の組み合わせによっ
て、予備ごみ袋を収納でき、使用者の使用に便利である。
【００２０】
前記防塵ネットカバー６はバックルによって底部ボックス２に着脱可能に接続されている
。これにより、以降の防塵ネットカバー６の清潔およびメンテナンスが容易であり、防塵
ネットカバー６の使用便利性が向上する。
【００２１】
前記風機５および防塵ネットカバー６はそれぞれ２個設けられており、かつ風機５と防塵
ネットカバー６は一対一対応している。これにより、風機５によってマイナスイオンを含
む風を底部ボックス２から吹き出すことができ、空気を浄化する効果が得られる。
【００２２】
前記タッチ型遅延スイッチ７の一側に充電ポート８が取付けられている。充電ポート８に
よって蓄電池４を充電することができる。
【００２３】
前記充電ポート８は導線によって蓄電池４に電気接続されている。蓄電池４によって電気
部品に電気エネルギーを提供し、部品の航続能力を保証する。
【００２４】
前記タッチ型遅延スイッチ７は導線によってそれぞれマイナスイオン発生器３、蓄電池４
および風機５に電気接続されている。タッチ型遅延スイッチ７によってマイナスイオン発
生器３および風機５をオンオフすることができる。
【００２５】
前記箱体１の表面に観察窓１２が嵌合接続されている。観察窓１２を介して箱体１内のご
み量を識別できる。
【００２６】
前記底部ボックス２の底部表面に滑り止めマット１３が粘着接続されている。滑り止めマ
ット１３によってごみ箱の安定性を向上する。
【００２７】
前記箱体１の頂部表面に蓋板１４がヒンジ接続されている。蓋板１４によって箱体１を封
止することができるので、箱体１内の異臭が漂うことを防止する。
【００２８】
前記蓋板１４の頂部表面の一側にレバー１５が取付けられている。レバー１５によって蓋
板１４を開閉する。
【００２９】
本考案のエコ型家庭用ごみ箱の動作に関しては、下記のとおり特筆すべきである。
箱体１の底部表面に底部ボックス２が取付けられることにより、底部ボックス２は、箱体
１に支持を提供することで、箱体１が容易にごみを収納できるとともに、底部ボックス２
は、内部部品の取り付け基礎とすることができる。底部ボックス２内の中部にマイナスイ
オン発生器３が取付けられることにより、マイナスイオン発生器３によって、大量のマイ
ナスイオンが発生するとともに、微量のオゾンも発生する。両者の組み合わせによって容
易に各種類のウイルスと細菌を吸収することができる。これによりそれらの構造変化やエ
ネルギー移転などに至るので、亡くさせることができる。これによって、除塵殺菌および
空気浄化の効果が得られる。底部ボックス２内の両側にそれぞれ風機５が取付けられ、か
つ底部ボックス２の外壁表面の両側にそれぞれ防塵ネットカバー６が取付けられるととも
に、風機５および防塵ネットカバー６は２個設けられ、かつ風機５と防塵ネットカバー６
が一対一対応しているので、風機５によってマイナスイオンを含む風を底部ボックス２か
ら吹出すことができ、空気浄化の効果が得られる。防塵ネットカバー６はバックルによっ
て底部ボックス２に着脱可能に接続されることにより、以降の防塵ネットカバー６の清潔
およびメンテナンスが容易であり、防塵ネットカバー６の使用便利性が向上する。マイナ
スイオン発生器３の一側に蓄電池４が取付けられ、タッチ型遅延スイッチ７の一側に充電
ポート８が取付けられる。また充電ポート８は導線によって蓄電池４に電気接続される。
これによって、充電ポート８によって蓄電池４を充電することができる。さらに、蓄電池
４によって電気部品に電気エネルギーを提供し、部品の航続能力を保証することができる
。底部ボックス２  の外壁表面の中部にタッチ型遅延スイッチ７が取付けられ、かつタッ
チ型遅延スイッチ７は導線によってマイナスイオン発生器３、蓄電池４および風機５に電
気接続されることにより、タッチ型遅延スイッチ７３をタッチすることにより、マイナス
イオン発生器３と風機５をオンする。また、一定期間後にタッチ型遅延スイッチ７によっ
て自動的にマイナスイオン発生器３と風機５をオフする。箱体１の一側壁の表面頂部にバ
ッフル９が取付けられ、バッフル９の底部の一側に横杆１０が設けられ、また横杆１０の
一端の側壁に嵌挿杆１１が取付けられることにより、横杆１０によって嵌挿杆１１に支持
を提供する。これにより嵌挿杆１１にごみ袋を収納でき、使用者の使用に便利である。バ
ッフル９によって一定の保護機能を発揮でき、ごみ袋の清潔性を確保する。箱体１の表面
に観察窓１２が嵌合接続され、底部ボックス２の底部表面に滑り止めマット１３が粘着接
続されることにより、観察窓１２を介して箱体１内のごみ量を識別でき、滑り止めマット
１３によってごみ箱の安定性を向上する。箱体１の頂部表面に蓋板１４がヒンジ接続され
、蓋板１４の頂部表面の一側にレバー１５が取付けられることにより、レバー１５によっ
て蓋板１４を開閉することができ、蓋板１４によって箱体１を封止することができるので
、箱体１内の異臭が漂うことを防止する。
【００３０】
本考案はエコ型家庭用ごみ箱を提供する。箱体１、底部ボックス２、マイナスイオン発生
器３、蓄電池４、風機５、防塵ネットカバー６、タッチ型遅延スイッチ７、充電ポート８
、バッフル９、横杆１０、嵌挿杆１１、観察窓１２、滑り止めマット１３、蓋板１４およ
びレバー１５を含む。各部件はいずれも基準品、または当業者の公知部品であり、その構
成と動作原理は技術ブックや常規の実験によって当業者が取得できる。また、上記電気部
品を当業者が適宜に選択することや、回路のテストなどによって、各部品の正常動作を保
証することが当然であり、これについても限定されない。
【符号の説明】
【００３１】
１  箱体
２  底部ボックス
３  マイナスイオン発生器
４  蓄電池
５  風機
６  防塵ネットカバー
７  タッチ型遅延スイッチ
８  充電ポート
９  バッフル
１０  横杆
１１  嵌挿杆
１２  観察窓
１３  滑り止めマット
１４  蓋板
１５  レバー
【図１】
0003232786.tif 000003
【図２】
0003232786.tif 000004
【図３】
0003232786.tif 000005
【図４】
0003232786.tif 000006